(57)【要約】      （修正有）【課題】本来の性質を発揮した処理液を基板に直接または間接に供給しながら該基板を処理することができる基板処理システムを提供する。【解決手段】基板処理システムは、基板を処理する基板処理装置１と、分配ライン９３および処理液供給ライン９２を洗浄するフラッシング装置とを備えている。フラッシング装置は、洗浄液を分配ライン９３に供給する洗浄液供給ライン９９と、分配ライン９３を通じて処理液供給ライン９２に供給された洗浄液を液体廃棄箇所１００にまで導くドレイン機構１０１と、処理液または洗浄液のいずれか一方が分配ライン９３内を流れることを許容する供給切り替え弁１０４と、ドレイン機構１０１および供給切り替え弁１０４の動作を制御する動作制御部３０とを備える。【選択図】図５
2015168035.tif 000002
【特許請求の範囲】
【請求項１】
処理液供給ラインに接続された処理液供給ノズルから処理液を基板に直接または間接に供給しながら、該基板を処理する基板処理装置と、
処理液供給源と前記処理液供給ラインとを接続する分配ラインと、
前記分配ラインおよび前記処理液供給ラインを洗浄するフラッシング装置とを備え、
前記フラッシング装置は、
洗浄液を前記分配ラインに供給する洗浄液供給ラインと、
前記分配ラインを通じて前記処理液供給ラインに供給された前記洗浄液を液体廃棄箇所にまで導くドレイン機構と、
前記分配ラインおよび前記洗浄液供給ラインに取り付けられ、前記処理液または前記洗浄液のいずれか一方が前記分配ライン内を流れることを許容する供給切り替え弁と、
前記ドレイン機構および前記供給切り替え弁の動作を制御する動作制御部と、を備え、
前記分配ラインおよび前記供給切り替え弁は、前記基板処理装置の外に配置されていることを特徴とする基板処理システム。
【請求項２】
前記ドレイン機構は、前記処理液供給ラインから分岐して前記液体廃棄箇所まで延びるドレインラインと、前記処理液供給ラインおよび前記ドレインラインに取り付けられたドレイン切り替え弁とを備え、
前記ドレイン切り替え弁は、前記処理液供給ラインを流れる前記洗浄液を前記ドレインラインに導くように構成されていることを特徴とする請求項１に記載の基板処理システム。
【請求項３】
前記ドレイン切り替え弁は、前記処理液供給ノズルの直ぐ上流側に配置されていることを特徴とする請求項２に記載の基板処理システム。
【請求項４】
前記ドレイン機構は、前記処理液供給ノズルを、前記基板を処理するための所定位置から、前記液体廃棄箇所の上方の位置に移動させるノズル移動機構であることを特徴とする請求項１に記載の基板処理システム。
【請求項５】
前記動作制御部は、前記基板の処理が行われる前に、前記供給切り替え弁を作動させて前記洗浄液を前記処理液供給ライン内に流すことを特徴とする請求項１に記載の基板処理システム。
【請求項６】
前記動作制御部は、前記基板処理装置の運転時間が所定の時間に達したときに、前記供給切り替え弁および前記ドレイン機構を作動させて前記洗浄液を前記処理液供給ライン内に流しつつ、前記洗浄液を前記液体廃棄箇所にまで導くことを特徴とする請求項１に記載の基板処理システム。
【請求項７】
単位体積当たりの前記処理液に含まれる粒子の数をカウントする粒子測定装置をさらに備えたことを特徴とする請求項１に記載の基板処理システム。
【請求項８】
前記動作制御部は、前記粒子の数が所定のしきい値に達した場合には、警報を発し、または前記基板処理装置の運転を停止することを特徴とする請求項７に記載の基板処理システム。
【請求項９】
前記動作制御部は、前記粒子の数が所定のしきい値に達した場合には、前記供給切り替え弁を作動させて前記洗浄液を前記分配ラインを通じて前記処理液供給ライン内に流し、かつ前記ドレイン機構を作動させて前記処理液供給ラインに供給された前記洗浄液を前記液体廃棄箇所にまで導くことを特徴とする請求項７に記載の基板処理システム。
【請求項１０】
前記処理液に含まれる前記粒子を捕捉するためのフィルタをさらに備え、
前記粒子測定装置は前記フィルタの下流側に配置されていることを特徴とする請求項７に記載の基板処理システム。
【請求項１１】
前記動作制御部は、前記粒子の数が所定のしきい値に達した場合には、前記フィルタの交換を促す警報を発することを特徴とする請求項１０に記載の基板処理システム。
【請求項１２】
前記基板の膜厚を測定する膜厚測定器をさらに備え、
前記動作制御部は、前記膜厚の測定値が所定の許容範囲を超えた場合には、前記供給切り替え弁を作動させて前記洗浄液を前記分配ラインを通じて前記処理液供給ライン内に流し、かつ前記ドレイン機構を作動させて前記処理液供給ラインに供給された前記洗浄液を前記液体廃棄箇所にまで導くことを特徴とする請求項１に記載の基板処理システム。
【請求項１３】
前記基板の欠陥を検出する基板検査器をさらに備え、
前記動作制御部は、検出された前記欠陥の数が所定のしきい値に達した場合には、前記供給切り替え弁を作動させて前記洗浄液を前記分配ラインを通じて前記処理液供給ライン内に流し、かつ前記ドレイン機構を作動させて前記処理液供給ラインに供給された前記洗浄液を前記液体廃棄箇所にまで導くことを特徴とする請求項１に記載の基板処理システム。
【請求項１４】
処理液供給源に接続された分配ラインを通じて基板処理装置内の処理液供給ラインに洗浄液を流して前記分配ラインおよび前記処理液供給ラインを洗浄しながら、前記処理液供給ラインに供給された前記洗浄液を液体廃棄箇所にまで導き、
前記処理液供給ラインを通じて処理液を基板に直接または間接に供給しながら、該基板を前記基板処理装置内で処理することを特徴とする基板処理方法。
【請求項１５】
前記処理液供給源から新たな処理液を前記分配ラインに供給して前記分配ライン内に残留している処理液を押し流し、さらに前記処理液を前記液体廃棄箇所にまで導くことを特徴とする請求項１４に記載の基板処理方法。
【請求項１６】
単位体積当たりの前記処理液に含まれる粒子の数を測定する工程をさらに含むことを特徴とする請求項１４に記載の基板処理方法。
【請求項１７】
前記粒子の数が所定のしきい値に達した場合には、警報を発し、または前記基板処理装置の運転を停止することを特徴とする請求項１６に記載の基板処理方法。
【請求項１８】
前記粒子の数が所定のしきい値に達した場合には、前記分配ラインを通じて前記洗浄液を前記処理液供給ラインに流して前記分配ラインおよび前記処理液供給ラインを洗浄しながら、前記洗浄液を前記液体廃棄箇所にまで導く工程を再度実行することを特徴とする請求項１６に記載の基板処理方法。
【請求項１９】
前記粒子の数が所定のしきい値に達した場合には、前記分配ラインまたは前記処理液供給ラインに取り付けられたフィルタの交換を促す警報を発することを特徴とする請求項１６に記載の基板処理方法。
【請求項２０】
前記基板の膜厚を測定する工程をさらに含み、
前記膜厚の測定値が所定の許容範囲を超えた場合には、前記分配ラインを通じて前記洗浄液を前記処理液供給ラインに流して前記分配ラインおよび前記処理液供給ラインを洗浄しながら、前記洗浄液を前記液体廃棄箇所にまで導く工程を再度実行することを特徴とする請求項１４に記載の基板処理方法。
【請求項２１】
前記基板の欠陥を検出する工程をさらに含み、
検出された前記欠陥の数が所定のしきい値に達した場合には、前記分配ラインを通じて前記洗浄液を前記処理液供給ラインに流して前記分配ラインおよび前記処理液供給ラインを洗浄しながら、前記洗浄液を前記液体廃棄箇所にまで導く工程を再度実行することを特徴とする請求項１４に記載の基板処理方法。
【請求項２２】
前記基板処理装置の運転時間が所定の時間に達したときに、前記分配ラインを通じて前記処理液供給ラインに前記洗浄液を流して前記分配ラインおよび前記処理液供給ラインを洗浄しながら、前記処理液供給ラインに供給された前記洗浄液を前記液体廃棄箇所にまで導くことを特徴とする請求項１４に記載の基板処理方法。
【発明の詳細な説明】
【技術分野】
【０００１】
本発明は、ウェハなどの基板を処理する基板処理システムおよび基板処理方法に関し、特に処理液を用いて基板を処理し、さらに処理液供給ラインを洗浄することができる基板処理システムおよび基板処理方法に関する。
【背景技術】
【０００２】
半導体デバイスの製造工場内には、ウェハを研磨して洗浄する基板処理装置が複数設置される。近年の製造工場では、研磨液や薬液などの処理液をこれら複数の基板処理装置に分配する集中供給システムが採用されている。この集中供給システムによれば、製造工場内に設置されている循環ラインを通って処理液が循環し、循環ラインから延びる分岐ラインを通じてそれぞれの基板処理装置に処理液が供給される。
【０００３】
基板処理装置に供給された処理液は、ウェハが処理（すなわち研磨および洗浄）されている限り基板処理装置内を流れ続ける。しかしながら、ウェハが処理されていないとき、処理液は基板処理装置内に設置された配管内に留まる。ウェハの処理が長時間行われていないと、処理液は配管内で沈降する。その結果、処理液の濃度分布が変化し、あるいは処理液に含まれる砥粒などの粒子が凝集して大きな粒子（以下、粗大粒子という）を形成することがある。濃度分布が変化した処理液は基板の処理結果に悪影響を及ぼす原因となる。また、ウェハの処理時に粗大粒子がウェハに接触すると、ウェハの表面にスクラッチが発生してしまうことがある。
【先行技術文献】
【特許文献】
【０００４】
【特許文献１】特開２００７−２２９８４５号公報
【特許文献２】特開平９−２９６３７号公報
【特許文献３】特開２００４−３５８５８７号公報
【特許文献４】特開２０００−２８０１７０号公報
【特許文献５】特開２００２−１５４０５７号公報
【発明の概要】
【発明が解決しようとする課題】
【０００５】
本発明は、上述した従来の問題点に鑑みてなされたもので、本来の性質を発揮した処理液をウェハなどの基板に直接または間接に供給しながら該基板を処理することができる基板処理システムおよび基板処理方法を提供することを目的とする。
【課題を解決するための手段】
【０００６】
本発明の一態様は、処理液供給ラインに接続された処理液供給ノズルから処理液を基板に直接または間接に供給しながら、該基板を処理する基板処理装置と、処理液供給源と前記処理液供給ラインとを接続する分配ラインと、前記分配ラインおよび前記処理液供給ラインを洗浄するフラッシング装置とを備え、前記フラッシング装置は、洗浄液を前記分配ラインに供給する洗浄液供給ラインと、前記分配ラインを通じて前記処理液供給ラインに供給された前記洗浄液を液体廃棄箇所にまで導くドレイン機構と、前記分配ラインおよび前記洗浄液供給ラインに取り付けられ、前記処理液または前記洗浄液のいずれか一方が前記分配ライン内を流れることを許容する供給切り替え弁と、前記ドレイン機構および前記供給切り替え弁の動作を制御する動作制御部と、を備え、前記分配ラインおよび前記供給切り替え弁は、前記基板処理装置の外に配置されていることを特徴とする基板処理システムである。
【０００７】
本発明の好ましい態様は、前記ドレイン機構は、前記処理液供給ラインから分岐して前記液体廃棄箇所まで延びるドレインラインと、前記処理液供給ラインおよび前記ドレインラインに取り付けられたドレイン切り替え弁とを備え、前記ドレイン切り替え弁は、前記処理液供給ラインを流れる前記洗浄液を前記ドレインラインに導くように構成されていることを特徴とする。
本発明の好ましい態様は、前記ドレイン切り替え弁は、前記処理液供給ノズルの直ぐ上流側に配置されていることを特徴とする。
本発明の好ましい態様は、前記ドレイン機構は、前記処理液供給ノズルを、前記基板を処理するための所定位置から、前記液体廃棄箇所の上方の位置に移動させるノズル移動機構であることを特徴とする。
本発明の好ましい態様は、前記動作制御部は、前記基板の処理が行われる前に、前記供給切り替え弁を作動させて前記洗浄液を前記処理液供給ライン内に流すことを特徴とする。
【０００８】
本発明の好ましい態様は、前記動作制御部は、前記基板処理装置の運転時間が所定の時間に達したときに、前記供給切り替え弁および前記ドレイン機構を作動させて前記洗浄液を前記処理液供給ライン内に流しつつ、前記洗浄液を前記液体廃棄箇所にまで導くことを特徴とする。
本発明の好ましい態様は、単位体積当たりの前記処理液に含まれる粒子の数をカウントする粒子測定装置をさらに備えたことを特徴とする。
本発明の好ましい態様は、前記動作制御部は、前記粒子の数が所定のしきい値に達した場合には、警報を発し、または前記基板処理装置の運転を停止することを特徴とする。
本発明の好ましい態様は、前記動作制御部は、前記粒子の数が所定のしきい値に達した場合には、前記供給切り替え弁を作動させて前記洗浄液を前記分配ラインを通じて前記処理液供給ライン内に流し、かつ前記ドレイン機構を作動させて前記処理液供給ラインに供給された前記洗浄液を前記液体廃棄箇所にまで導くことを特徴とする。
本発明の好ましい態様は、前記処理液に含まれる前記粒子を捕捉するためのフィルタをさらに備え、前記粒子測定装置は前記フィルタの下流側に配置されていることを特徴とする。
本発明の好ましい態様は、前記動作制御部は、前記粒子の数が所定のしきい値に達した場合には、前記フィルタの交換を促す警報を発することを特徴とする。
【０００９】
本発明の好ましい態様は、前記基板の膜厚を測定する膜厚測定器をさらに備え、前記動作制御部は、前記膜厚の測定値が所定の許容範囲を超えた場合には、前記供給切り替え弁を作動させて前記洗浄液を前記分配ラインを通じて前記処理液供給ライン内に流し、かつ前記ドレイン機構を作動させて前記処理液供給ラインに供給された前記洗浄液を前記液体廃棄箇所にまで導くことを特徴とする。
本発明の好ましい態様は、前記基板の欠陥を検出する基板検査器をさらに備え、前記動作制御部は、検出された前記欠陥の数が所定のしきい値に達した場合には、前記供給切り替え弁を作動させて前記洗浄液を前記分配ラインを通じて前記処理液供給ライン内に流し、かつ前記ドレイン機構を作動させて前記処理液供給ラインに供給された前記洗浄液を前記液体廃棄箇所にまで導くことを特徴とする。
【００１０】
本発明の他の態様は、処理液供給源に接続された分配ラインを通じて基板処理装置内の処理液供給ラインに洗浄液を流して前記分配ラインおよび前記処理液供給ラインを洗浄しながら、前記処理液供給ラインに供給された前記洗浄液を液体廃棄箇所にまで導き、前記処理液供給ラインを通じて処理液を基板に直接または間接に供給しながら、該基板を前記基板処理装置内で処理することを特徴とする基板処理方法である。
【００１１】
本発明の好ましい態様は、前記処理液供給源から新たな処理液を前記分配ラインに供給して前記分配ライン内に残留している処理液を押し流し、さらに前記処理液を前記液体廃棄箇所にまで導くことを特徴とする。
本発明の好ましい態様は、単位体積当たりの前記処理液に含まれる粒子の数を測定する工程をさらに含むことを特徴とする。
本発明の好ましい態様は、前記粒子の数が所定のしきい値に達した場合には、警報を発し、または前記基板処理装置の運転を停止することを特徴とする。
本発明の好ましい態様は、前記粒子の数が所定のしきい値に達した場合には、前記分配ラインを通じて前記洗浄液を前記処理液供給ラインに流して前記分配ラインおよび前記処理液供給ラインを洗浄しながら、前記洗浄液を前記液体廃棄箇所にまで導く工程を再度実行することを特徴とする。
本発明の好ましい態様は、前記粒子の数が所定のしきい値に達した場合には、前記分配ラインまたは前記処理液供給ラインに取り付けられたフィルタの交換を促す警報を発することを特徴とする。
【００１２】
本発明の好ましい態様は、前記基板の膜厚を測定する工程をさらに含み、前記膜厚の測定値が所定の許容範囲を超えた場合には、前記分配ラインを通じて前記洗浄液を前記処理液供給ラインに流して前記分配ラインおよび前記処理液供給ラインを洗浄しながら、前記洗浄液を前記液体廃棄箇所にまで導く工程を再度実行することを特徴とする。
本発明の好ましい態様は、前記基板の欠陥を検出する工程をさらに含み、検出された前記欠陥の数が所定のしきい値に達した場合には、前記分配ラインを通じて前記洗浄液を前記処理液供給ラインに流して前記分配ラインおよび前記処理液供給ラインを洗浄しながら、前記洗浄液を前記液体廃棄箇所にまで導く工程を再度実行することを特徴とする。
本発明の好ましい態様は、前記基板処理装置の運転時間が所定の時間に達したときに、前記分配ラインを通じて前記処理液供給ラインに前記洗浄液を流して前記分配ラインおよび前記処理液供給ラインを洗浄しながら、前記処理液供給ラインに供給された前記洗浄液を前記液体廃棄箇所にまで導くことを特徴とする。
【発明の効果】
【００１３】
洗浄液は分配ラインおよび処理液供給ライン内を流れて、分配ラインおよび処理液供給ラインに滞留している劣化した処理液を洗い流す。さらに、洗浄液は、処理液とともにドレイン機構によって液体廃棄箇所に導かれ、液体廃棄箇所に排出される。したがって、洗浄液および劣化した処理液は基板には供給されず、基板の処理に悪影響を与えることがない。分配ラインおよび処理液供給ラインを洗浄液で洗浄した後は、本来の性質を発揮することができる処理液が基板に直接または間接に供給される。したがって、基板の処理を正常に行うことができる。
【図面の簡単な説明】
【００１４】
【図１】基板処理装置の一実施形態を示す平面図である。
【図２】図１に示す基板処理装置に組み込まれた研磨ユニットの斜視図である。
【図３】図２に示す研磨ユニットを上から見た図である。
【図４】図１に示す基板処理装置に組み込まれた洗浄ユニットの斜視図である。
【図５】処理ユニットに処理液を供給する処理液供給ラインと、この処理液供給ラインを洗浄するフラッシング装置を示す模式図である。
【図６】フラッシング装置の他の実施形態を示す図である。
【図７】フラッシング装置のさらに他の実施形態を示す図である。
【図８】基板処理装置の外部に欠陥検査器が設けられた例を示す模式図である。
【図９】フラッシング装置のさらに他の実施形態を示す図である。
【図１０】フラッシング装置のさらに他の実施形態を示す図である。
【図１１】フラッシング装置のさらに他の実施形態を示す図である。
【発明を実施するための形態】
【００１５】
以下、実施形態について図面を参照して説明する。図１乃至図１１において、同一または相当する構成要素には、同一の符号を付して重複した説明を省略する。
【００１６】
図１は、基板処理装置１の一実施形態を示す平面図である。この基板処理装置１は、ウェハなどの基板の研磨、洗浄、および乾燥を含む複数の処理を実行することができる複合装置である。図１に示すように、基板処理装置１は、略矩形状のハウジング１０と、多数のウェハを収容する基板カセットが載置されるロードポート１２を備えている。ロードポート１２は、ハウジング１０に隣接して配置されている。ロードポート１２には、オープンカセット、ＳＭＩＦ（Standard  Manufacturing  Interface）ポッド、またはＦＯＵＰ（Front  Opening  Unified  Pod）を搭載することができる。ＳＭＩＦ、ＦＯＵＰは、内部に基板カセットを収納し、隔壁で覆うことにより、外部空間とは独立した環境を保つことができる密閉容器である。
【００１７】
ハウジング１０の内部には、ウェハを洗浄する複数（この実施形態では４つ）の研磨ユニット１４ａ〜１４ｄと、研磨されたウェハを洗浄する第１洗浄ユニット１６及び第２洗浄ユニット１８と、洗浄されたウェハを乾燥させる乾燥ユニット２０が収容されている。研磨ユニット１４ａ〜１４ｄは、基板処理装置１の長手方向に沿って配列され、洗浄ユニット１６，１８及び乾燥ユニット２０も基板処理装置１の長手方向に沿って配列されている。
【００１８】
ロードポート１２、研磨ユニット１４ａ、及び乾燥ユニット２０に囲まれた領域には、第１基板搬送ロボット２２が配置され、また研磨ユニット１４ａ〜１４ｄと平行に、基板搬送ユニット２４が配置されている。第１基板搬送ロボット２２は、研磨すべきウェハをロードポート１２から受け取って基板搬送ユニット２４に渡すとともに、乾燥されたウェハを乾燥ユニット２０から受け取ってロードポート１２に戻す。基板搬送ユニット２４は、第１基板搬送ロボット２２から受け取ったウェハを搬送して、各研磨ユニット１４ａ〜１４ｄとの間でウェハの受け渡しを行う。各研磨ユニット１４ａ〜１４ｄは、研磨面に研磨液（スラリー）を供給しながら、ウェハを研磨面に摺接させることで、ウェハの表面を研磨する。
【００１９】
第１洗浄ユニット１６と第２洗浄ユニット１８の間に位置して、これらの洗浄ユニット１６，１８および基板搬送ユニット２４の間でウェハを搬送する第２基板搬送ロボット２６が配置される。第２洗浄ユニット１８と乾燥ユニット２０との間に位置して、これらの各ユニット１８，２０の間でウェハを搬送する第３基板搬送ロボット２８が配置されている。更に、ハウジング１０の内部に位置して、基板処理装置１の各ユニットの動きを制御する処理制御部２９が配置されている。
【００２０】
第１洗浄ユニット１６および第２洗浄ユニット１８として、薬液の存在下で、ウェハの表裏両面にロールスポンジを擦り付けてウェハを洗浄する第１洗浄ユニット１６が使用されている。第２洗浄ユニット１８として、薬液の存在下でペン型のスポンジをウェハに擦り付ける洗浄装置が使用されてもよい。乾燥ユニット２０として、移動するノズルからＩＰＡ蒸気を噴出してウェハを乾燥させ、更にウェハを高速で回転させることによってウェハを乾燥させるスピン乾燥装置が使用されている。
【００２１】
ウェハは、研磨ユニット１４ａ〜１４ｄの少なくとも１つにより研磨される。研磨されたウェハは、第１洗浄ユニット１６と第２洗浄ユニット１８により洗浄され、さらに洗浄されたウェハは乾燥ユニット２０により乾燥される。
【００２２】
乾燥ユニット２０で乾燥されたウェハは、第１基板搬送ロボット２２によって膜厚測定器２１に搬送される。この膜厚測定器２１は、ウェハの膜厚を測定するように構成されている。膜厚の測定後、第１基板搬送ロボット２２は、ウェハを膜厚測定器２１から取り出してロードポート１２に戻す。
【００２３】
研磨ユニット１４ａ〜１４ｄは、同一の構成を有している。したがって、以下、研磨ユニット１４ａについて説明する。図２は図１に示す基板処理装置１に組み込まれた研磨ユニット１４ａの斜視図である。図２に示すように、研磨ユニット１４ａは、研磨パッド４１を支持する研磨テーブル４２と、基板の一例であるウェハＷを研磨パッド４１に押し付けるトップリング４３と、研磨パッド４１に研磨液を供給する研磨液供給ノズル５０とを備えている。
【００２４】
研磨テーブル４２は、テーブル軸４５を介してその下方に配置されるテーブルモータ４６に連結されており、このテーブルモータ４６により研磨テーブル４２が矢印で示す方向に回転されるようになっている。研磨パッド４１は研磨テーブル４２の上面に貼付されており、研磨パッド４１の上面がウェハＷを研磨する研磨面４１ａを構成している。トップリング４３はトップリングシャフト４７の下端に固定されている。トップリング４３は、その下面に真空吸引によりウェハＷを保持できるように構成されている。トップリングシャフト４７は、トップリングアーム４８内に設置された図示しない回転装置に連結されており、トップリング４３はこの回転装置によりトップリングシャフト４７を介して回転駆動されるようになっている。トップリング４３は、ウェハＷを保持して回転させる基板保持部である。
【００２５】
図３は図２に示す研磨ユニット１４ａを上から見た図である。図３に示すように、研磨液供給ノズル５０はノズル旋回軸５１に固定されており、ノズル旋回軸５１を中心として旋回可能に構成されている。ノズル旋回軸５１は、ノズル移動機構としてのノズルモータ５２に連結されており、このノズルモータ５２によって、研磨液供給ノズル５０は、研磨パッド４１の外側にある待避位置Ｐ１と研磨パッド４１の上方の処理位置Ｐ２との間を移動可能に構成されている。
【００２６】
ウェハＷの研磨は次のように行われる。トップリング４３および研磨テーブル４２をそれぞれ図２の矢印で示す方向に回転させる。この状態で、処理位置Ｐ２にある研磨液供給ノズル５０から研磨液を研磨パッド４１の研磨面４１ａ上に供給しながら、トップリング４３はウェハＷを研磨パッド４１の研磨面４１ａに押し付ける。ウェハＷは、研磨面４１ａ上に保持された研磨液の存在下で研磨パッド４１に摺接される。ウェハＷの表面は、研磨液に含まれる砥粒の機械的作用と研磨液の化学成分の化学的作用により研磨される。
【００２７】
研磨ユニット１４ａは、研磨パッド４１をドレッシングするためのドレッシング装置５４をさらに備えている。ドレッシング装置５４は、研磨パッド４１の研磨面４１ａに接触するドレッサ５６と、ドレッサ５６を支持するドレッサアーム５７と、ドレッサアーム５７を旋回させるドレッサ旋回軸５８とを備えている。ドレッサ５６は、ドレッサアーム５７内に設置された図示しないモータにより回転されるように構成されている。ドレッサ５６の下面は、ダイヤモンド粒子などの多数の砥粒からなるドレッシング面を構成する。
【００２８】
研磨パッド４１のドレッシングは、ウェハＷの研磨後に行われる。すなわち、ウェハＷの研磨後、ウェハＷを保持したトップリング４３を研磨テーブル４２の外側に移動させる。次いで、ドレッサ５６はその軸心まわりに回転しながら、研磨パッド４１の研磨面４１ａに押し付けられる。この状態で、ドレッサアーム５７の旋回に伴って、ドレッサ５６は研磨面４１ａ上を揺動する。ドレッサ５６は、研磨パッド４１を僅かに削り取ることにより研磨面４１ａをドレッシングする。研磨パッド４１のドレッシング中、研磨液に代えて純水が研磨液供給ノズル５０から研磨パッド４１に供給される。
【００２９】
図４は、第１洗浄ユニット１６を示す斜視図である。この実施形態では、ウェハＷを洗浄するスポンジ洗浄具として、水平方向に延びるロールスポンジが使用されている。第１洗浄ユニット１６は、ウェハＷを保持して回転させる４つの保持ローラー７１，７２，７３，７４と、ウェハＷの上下面にそれぞれ接触する円柱状のロールスポンジ７７，７８と、これらのロールスポンジ７７，７８をその中心軸線まわりに回転させる洗浄具回転装置８０，８１と、ウェハＷの上面にリンス液（例えば純水）を供給する上側リンス液供給ノズル８５と、ウェハＷの上面に薬液を供給する上側薬液供給ノズル８７とを備えている。図示しないが、ウェハＷの下面にリンス液（例えば純水）を供給する下側リンス液供給ノズルと、ウェハＷの下面に薬液を供給する下側薬液供給ノズルが設けられている。使用される薬液の一例は、ウェハＷの表面を構成する薄膜に対してエッチング作用を有するエッチング液である。
【００３０】
保持ローラー７１，７２，７３，７４は、ウェハＷを保持して回転させる基板保持部を構成する。保持ローラー７１，７２，７３，７４は図示しない駆動機構（例えばエアシリンダ）によって、ウェハＷに近接および離間する方向に移動可能となっている。４つの保持ローラーのうちの２つの保持ローラー７１，７４は、基板回転装置７５に連結されており、これら保持ローラー７１，７４は基板回転装置７５によって同じ方向に回転されるようになっている。４つの保持ローラー７１，７２，７３，７４がウェハＷを保持した状態で、２つの保持ローラー７１，７４が回転することにより、ウェハＷはその中心軸線まわりに回転する。
【００３１】
上側のロールスポンジ７７を回転させる洗浄具回転装置８０は、その上下方向の動きをガイドするガイドレール８９に取り付けられている。また、この洗浄具回転装置８０は昇降駆動機構８２に支持されており、洗浄具回転装置８０および上側のロールスポンジ７７は昇降駆動機構８２により上下方向に移動されるようになっている。
【００３２】
図示しないが、下側のロールスポンジ７８を回転させる洗浄具回転装置８１もガイドレールに支持されており、昇降駆動機構によって洗浄具回転装置８１および下側のロールスポンジ７８が上下動するようになっている。昇降駆動機構としては、例えばボールねじを用いたモータ駆動機構またはエアシリンダが使用される。ウェハＷの洗浄時には、ロールスポンジ７７，７８は互いに近接する方向に移動してウェハＷの上下面に接触する。
【００３３】
次に、ウェハを洗浄する工程について説明する。保持ローラー７１，７２，７３，７４によりウェハＷをその中心軸線まわりに回転させる。次いで、上側薬液供給ノズル８７および図示しない下側薬液供給ノズルからウェハＷの上面及び下面に薬液が供給される。この状態で、ロールスポンジ７７，７８がその水平に延びる中心軸線まわりに回転しながらウェハＷの上下面に摺接することによって、ウェハＷの上下面をスクラブ洗浄する。ロールスポンジ７７，７８は、ウェハＷの直径よりも長く、ウェハＷの上下面全体に接触するようになっている。スクラブ洗浄後、ロールスポンジ７７，７８をウェハＷの上下面に摺接させながら、回転するウェハＷの上面及び下面にリンス液を供給することによってウェハＷのリンスが行われる。
【００３４】
上述したように、研磨ユニット１４ａ〜１４ｄおよび洗浄ユニット１６，１８は、ウェハに処理液を供給しながら該ウェハを処理する処理ユニットである。すなわち、研磨ユニット１４ａ〜１４ｄは、研磨パッド４１を通じて研磨液をウェハに間接的に供給しながらウェハを研磨する。洗浄ユニット１６，１８は、薬液を直接ウェハに供給しながらウェハを洗浄する。以下、研磨ユニット１４ａ〜１４ｄおよび洗浄ユニット１６，１８を総称して処理ユニットと呼び、研磨液（スラリー）および薬液を総称して処理液と呼ぶ。
【００３５】
図５は処理ユニットに処理液を供給する処理液供給ライン９２と、この処理液供給ライン９２を洗浄するフラッシング装置を示す模式図である。図５に示す処理液供給ライン９２は、処理液として研磨液（スラリー）を研磨ユニット１４ａの研磨液供給ノズル５０に供給するための処理液供給ラインの一例である。研磨ユニット１４ｂ〜１４ｄに処理液としての研磨液を供給するための処理液供給ラインも同様の構成を有している。処理液供給ライン９２は、基板処理装置１のハウジング１０内に設置されている。
【００３６】
以下の説明では、研磨液を処理液と称し、研磨液供給ノズルを処理液供給ノズルと称する。図５に示すように、基板処理装置１は、処理液を処理液供給ノズル５０に供給する処理液供給ライン９２を備えている。処理液供給ライン９２の一端は処理液供給ノズル５０に接続され、他端は基板処理装置１の外側に設けられた分配ライン９３に接続されている。処理液供給ライン９２および分配ライン９３は接続部１１４によって互いに接続されている。この接続部１１４は、基板処理装置１のハウジング１０に設けられている。分配ライン９３は、処理液供給源としての処理液循環ライン９７と、処理液供給ライン９２とを接続している。この処理液循環ライン９７は、基板処理装置１が設置されている工場内に敷設されており、処理液は処理液循環ライン９７を通って工場内を循環している。処理液循環ライン９７を通って循環する処理液の一部は、分配ライン９３に流入し、基板処理装置１内に導入される。さらに、処理液は、処理液供給ライン９２を通って処理液供給ノズル５０に移送される。
【００３７】
分配ライン９３には、処理液に含まれる粗大粒子を捕捉するためのフィルタ９４が取り付けられている。このフィルタ９４は、所定のサイズ以上の粗大粒子を捕捉するように構成されている。処理液はフィルタ９４を通過し、その後処理液供給ライン９２に流入するようになっている。本実施形態ではフィルタ９４は基板処理装置１の外側に配置されているが、基板処理装置１の内側に配置されてもよい。つまり、フィルタ９４を処理液供給ライン９２に取り付けてもよい。
【００３８】
フラッシング装置は、洗浄液を用いて分配ライン９３および処理液供給ライン９２の内部を洗浄する洗浄装置である。このフラッシング装置は、洗浄液を分配ライン９３を通じて処理液供給ライン９２に供給する洗浄液供給ライン９９と、処理液供給ライン９２に供給された洗浄液を、研磨パッド４１の外に位置するドレイン（液体廃棄箇所）１００にまで導くドレイン機構１０１とを備えている。洗浄液は、分配ライン９３および処理液供給ライン９２内を勢いよく流れて分配ライン９３および処理液供給ライン９２内に滞留する処理液を除去するためのフラッシング流体である。より具体的には、洗浄液は、分配ライン９３内に供給され、処理液よりも高い流速で分配ライン９３内を流れ、さらに処理液供給ライン９２内を流れる。
【００３９】
処理液または洗浄液のいずれか一方が分配ライン９３および処理液供給ライン９２内を流れることを許容する供給切り替え弁１０４が分配ライン９３および洗浄液供給ライン９９に取り付けられている。洗浄液供給ライン９９は、供給切り替え弁１０４を介して分配ライン９３に連結されている。供給切り替え弁１０４はフィルタ９４の上流側に配置されている。初期状態の供給切り替え弁１０４は、洗浄液供給ライン９９を閉じつつ、分配ライン９３を開いて処理液が分配ライン９３を通って処理液供給ライン９２に流入することを許容する。
【００４０】
供給切り替え弁１０４が操作されると、供給切り替え弁１０４は分配ライン９３と処理液循環ライン９７との接続を遮断しつつ、洗浄液供給ライン９９と分配ライン９３とを接続し、これによって洗浄液が洗浄液供給ライン９９および分配ライン９３を通って処理液供給ライン９２内に流れる。供給切り替え弁１０４には三方弁または複数の開閉弁の組み合わせが使用される。洗浄液供給ライン９９および供給切り替え弁１０４は、基板処理装置１の外に配置され、ドレイン機構１０１は基板処理装置１内に配置されている。供給切り替え弁１０４は処理液循環ライン９７と分配ライン９３との接続点の直ぐ下流側に配置されていることが好ましい。このような配置により、分配ライン９３の大部分に洗浄液を流すことができる。
【００４１】
ドレイン機構１０１は、処理液供給ライン９２から分岐してドレイン１００まで延びるドレインライン１１０と、処理液供給ライン９２およびドレインライン１１０に取り付けられたドレイン切り替え弁１０７とを備えている。ドレイン切り替え弁１０７は、接続部１１４の下流側に配置されている。好ましくは、ドレイン切り替え弁１０７は、接続部１１４の直ぐ下流側に配置されている。
【００４２】
ドレイン切り替え弁１０７は、処理液供給ライン９２を流れる洗浄液をドレインライン１１０に導くように構成されている。より具体的には、初期状態にあるドレイン切り替え弁１０７は、ドレインライン１１０を閉じつつ、処理液供給ライン９２の上流流路と下流流路とを連通させて処理液が処理液供給ライン９２を通って処理液供給ノズル５０に流れることを許容する。ドレイン切り替え弁１０７が操作されると、ドレイン切り替え弁１０７は処理液供給ライン９２を閉じつつ、ドレインライン１１０と処理液供給ライン９２とを接続し、これによって処理液供給ライン９２を流れる処理液をドレインライン１１０に導く。図５では、ドレイン切り替え弁１０７はフィルタ９４の下流側に配置されているが、ドレイン切り替え弁１０７の配置箇所はこの実施形態に限定されない。例えば、フィルタ９４は処理液供給ノズル５０の直ぐ上流側に配置してもよい。ドレイン切り替え弁１０７には三方弁または複数の開閉弁の組み合わせが使用される。
【００４３】
洗浄液（フラッシング流体）は、分配ライン９３内を流れて分配ライン９３内に残留している処理液を押し流す。さらに、洗浄液（フラッシング流体）は、処理液供給ライン９２内を流れて処理液供給ライン９２内に残留している処理液を押し流す。このようにして、洗浄液は、分配ライン９３および処理液供給ライン９２内に残留している劣化した処理液を除去し、さらには分配ライン９３および処理液供給ライン９２内を洗浄することができる。処理液は、洗浄液とともに、ドレインライン１１０を通ってドレイン１００に排出（廃棄）される。
【００４４】
分配ライン９３および処理液供給ライン９２内があまり汚れていない場合は、処理液循環ライン９７から新たな処理液を分配ライン９３に供給し、残留している処理液を押し流してもよい。しかしながら、古い処理液を基板処理装置１の外部から内部に導入することは、基板処理装置１の内部を清浄に保つ観点から好ましくない。そこで、ドレイン切り替え弁１０７およびドレイン１００は、処理液供給ライン９２と分配ライン９３とを接続する接続部１１４の近傍に配置されている。新たな処理液で古い処理液を押し流すときは、ドレイン切り替え弁１０７が操作され、処理液供給ライン９２の上流流路がドレインライン１１０に接続される。新たな処理液は基板処理装置１内に流入した後、すぐにドレインライン１１０に導かれ、ドレイン１００に排出（廃棄）される。したがって、基板処理装置１の内部を清浄に保つことができる。
【００４５】
新たな処理液は、古い処理液を押し流すだけで、処理液供給ライン９２および分配ライン９３の内部を洗浄することはあまり期待できない。そこで、処理液供給ライン９２および分配ライン９３の内部の汚れがひどい場合には、ドレイン切り替え弁１０７および供給切り替え弁１０４を操作して、洗浄液を分配ライン９３に導入する。洗浄液は、分配ライン９３および処理液供給ライン９２を流れてこれらの内部を洗浄し、さらにドレインライン１１０を通じてドレイン１００に排出（廃棄）される。この場合も、洗浄液および古い処理液は、基板処理装置１内に流入した後、すぐにドレインライン１１０に導かれるため、基板処理装置１の内部が古い処理液で汚染されることはない。
【００４６】
ドレイン切り替え弁１０７および供給切り替え弁１０４の動作は、動作制御部３０によって制御される。動作制御部３０は、基板処理装置１の処理制御部２９と一体に構成されてもよい。分配ライン９３および処理液供給ライン９２内を洗浄するとき、動作制御部３０は供給切り替え弁１０４およびドレイン切り替え弁１０７を作動させて、洗浄液供給ライン９９と分配ライン９３とを連通させるとともに、ドレインライン１１０と処理液供給ライン９２とを連通させる。洗浄液は、洗浄液供給ライン９９から供給切り替え弁１０４を通じて分配ライン９３内に供給され、分配ライン９３および処理液供給ライン９２をこの順に流れ、さらにドレイン切り替え弁１０７およびドレインライン１１０を通ってドレイン１００に排出（廃棄）される。このように、洗浄液は、研磨パッド４１を通らずに、直接ドレイン１００に導かれる。ドレイン１００は液体廃棄箇所の一例であり、液体廃棄箇所は処理液を廃棄するための構造体であってもよい。
【００４７】
処理液供給ライン９２には純水切り替え弁１１２が取り付けられており、この純水切り替え弁１１２には純水供給ライン１１３が接続されている。純水切り替え弁１１２は、ドレイン切り替え弁１０７の下流側に配置されている。純水切り替え弁１１２は、ドレイン切り替え弁１０７の直ぐ下流側に配置されていることが好ましい。純水切り替え弁１１２の動作は、動作制御部３０によって制御される。
【００４８】
純水切り替え弁１１２を作動させると、処理液供給ライン９２の上流流路が閉じられ、その一方で純水供給ライン１１３と処理液供給ライン９２の下流流路が接続される。洗浄液として機能する純水は、純水供給ライン１１３を通じて処理液供給ライン９２内に供給され、処理液供給ライン９２を流れ、処理液供給ノズル５０から研磨パッド４１上に供給される。純水は、定期的に（例えば、ウェハの処理が行われるたびに）処理液供給ライン９２を通って処理液供給ノズル５０に供給される。したがって、純水切り替え弁１１２から処理液供給ノズル５０まで延びる処理液供給ライン９２の内部、および処理液供給ノズル５０の内部には、処理液は残留しない。
【００４９】
洗浄液は、分配ライン９３および処理液供給ライン９２内を勢いよく流れ、劣化した処理液をドレイン１００まで押し流す。分配ライン９３および処理液供給ライン９２内に長時間滞留した処理液は、本来の濃度分布から大きく変化した濃度分布を有していることがあり、さらには微小な粒子（通常は砥粒）が凝集して形成された粗大粒子を含むことがある。このような処理液は、研磨パッド４１には供給されずに、ドレイン１００に直接排出される。したがって、性質の変化した処理液がウェハの研磨に悪影響を与えることがない。
【００５０】
分配ライン９３および処理液供給ライン９２の洗浄に使用される洗浄液（すなわちフラッシング流体）としては、純水、エッチング液、キレート剤を含む水溶液、ゼータ電位効果を及ぼす液体、超音波振動を与えた液体などが挙げられる。酸性またはアルカリ性の洗浄液が研磨パッド４１、トップリング４３、ドレッサ５６、ロールスポンジ７７，７８などに付着すると、これら部材が汚染されることがある。本実施形態によれば、洗浄液が研磨パッド４１の外にあるドレイン１００内に排出されるので、洗浄液はこれらの部材に付着しない。
【００５１】
ドレイン１００に排出された洗浄液および処理液を基板処理装置１の外側まで導く移送ライン１１１を設けてもよい。移送ライン１１１はドレイン１００から基板処理装置１の外側まで延びており、ドレイン１００に排出された洗浄液および処理液は移送ライン１１１を通って基板処理装置１の外部に排出される。したがって、洗浄液および処理液によって基板処理装置１の内部が汚染されることを防止することができる。
【００５２】
分配ライン９３および処理液供給ライン９２の洗浄は、ウェハの処理が行われる前、すなわちウェハの研磨が行われる前に実施される。例えば、基板処理装置１のアイドリング時や基板処理装置１の運転時間が所定の時間に達したときに洗浄液が供給される。したがって、分配ライン９３および処理液供給ライン９２に残留した古い処理液が除去され、本来の性質を発揮することができる新たな処理液が分配ライン９３および処理液供給ライン９２を通じて研磨パッド４１に供給される。動作制御部３０は、基板処理装置１のアイドリング時や基板処理装置１の運転時間が所定の時間に達したときに、ドレイン切り替え弁１０７および供給切り替え弁１０４を動作して、自動的に洗浄液を分配ライン９３および処理液供給ライン９２に供給してもよい。
【００５３】
分配ライン９３および処理液供給ライン９２から洗浄液を除去して分配ライン９３および処理液供給ライン９２を清浄に保つために、これらライン９２，９３内の洗浄液を純水で置換することが望ましい。そこで、純水供給ライン１１６が洗浄液供給ライン９９に接続されている。洗浄液供給ライン９９には純水切り替え弁１１７が取り付けられており、純水供給ライン１１６は純水切り替え弁１１７を介して洗浄液供給ライン９９に連結されている。
【００５４】
純水切り替え弁１１７、供給切り替え弁１０４、およびドレイン切り替え弁１０７を作動させると、純水は純水供給ライン１１６および洗浄液供給ライン９９を通じて分配ライン９３内に供給される。純水は分配ライン９３を通って処理液供給ライン９２を流れ、さらに、ドレイン切り替え弁１０７およびドレインライン１１０を通ってドレイン１００に排出される。このように、純水は分配ライン９３および処理液供給ライン９２の内部から洗浄液を除去し、これによって分配ライン９３および処理液供給ライン９２の内部を清浄に保つことができる。
【００５５】
図６はフラッシング装置の他の実施形態を示す図である。特に説明しない本実施形態の構成は、図５に示す実施形態と同じであるので、その重複する説明を省略する。この実施形態では、図６に示すように、ドレイン切り替え弁１０７は処理液供給ノズル５０の直ぐ上流側に配置されている。このような配置とすれば、分配ライン９３および処理液供給ライン９２の大部分に洗浄液を通過させることができ、分配ライン９３および処理液供給ライン９２の大部分を洗浄液で洗浄することができる。
【００５６】
分配ライン９３および処理液供給ライン９２を洗浄した後は、分配ライン９３および処理液供給ライン９２内の洗浄液を純水で置換することが望ましい。純水切り替え弁１１７、供給切り替え弁１０４、およびドレイン切り替え弁１０７を作動させると、純水は純水供給ライン１１６および洗浄液供給ライン９９を通じて分配ライン９３内に供給される。純水は分配ライン９３を通って処理液供給ライン９２を流れ、さらに、ドレイン切り替え弁１０７およびドレインライン１１０を通ってドレイン１００に排出される。純水を供給する前に、洗浄液と純水との混合流体を分配ライン９３内に供給してもよい。
【００５７】
ウェハ処理のために処理液を処理液供給ノズル５０から供給した後は、処理液供給ノズル５０および処理液供給ライン９２内の処理液を純水で置換することが望ましい。純水切り替え弁１１２を作動させると、純水は、純水供給ライン１１３を通じて処理液供給ライン９２内に供給され、処理液供給ライン９２を流れ、処理液供給ノズル５０から研磨パッド４１上に供給される。このようにウェハ処理後に処理液供給ノズル５０および処理液供給ライン９２内の処理液は純水で置換されるので、処理液供給ノズル５０および処理液供給ライン９２内の処理液の滞留・凝集が防止される。ドレイン切り替え弁１０７は純水切り替え弁１１２の下流側に配置されている。したがって、純水は、処理液供給ライン９２の全体から洗浄液を除去することができる。
【００５８】
図７は、フラッシング装置のさらに他の実施形態を示す図である。特に説明しない本実施形態の構成は、図５に示す実施形態と同じであるので、その重複する説明を省略する。この実施形態では、ドレイン機構１０１は、処理液供給ノズル５０を、研磨パッド４１上方の処理位置Ｐ２から、ドレイン１００の上方の待避位置Ｐ１に移動させるノズル移動機構としてのノズルモータ５２から構成されている（待避位置Ｐ１および処理位置Ｐ２の詳細は図３参照）。この実施形態では、上述したドレイン切り替え弁１０７およびドレインライン１１０は設けられていない。ドレイン１００は、待避位置Ｐ１に移動された処理液供給ノズル５０の下方に設けられている。
【００５９】
ノズルモータ５２の動作は動作制御部３０によって制御される。すなわち、動作制御部３０は、ウェハＷの研磨が行われる前に、ノズルモータ５２を作動させて処理液供給ノズル５０をドレイン１００上方の待避位置Ｐ１に移動させる。その後、供給切り替え弁１０４を作動させて洗浄液（または純水）を分配ライン９３を通じて処理液供給ライン９２内に流す。分配ライン９３および処理液供給ライン９２内に滞留する処理液は、洗浄液（または純水）とともに、処理液供給ノズル５０を通ってドレイン１００に排出され、研磨パッド４１上には供給されない。この実施形態によれば、処理液供給ライン９２の全体および処理液供給ノズル５０に洗浄液（または純水）を通過させることができ、処理液供給ライン９２の全体および処理液供給ノズル５０を洗浄液（または純水）で洗浄することができる。
【００６０】
接続部１１４と処理液供給ノズル５０との距離を可能な限り短くすることが好ましいが、設置スペースの都合上、処理液供給ライン９２にドレイン切り替え弁１０７を設けることが困難な場合もある。本実施形態では、ドレイン機構１０１はノズルモータ５２から構成されているため、ドレイン切り替え弁１０７が不要である。
【００６１】
フィルタ９４は処理液に含まれる粗大粒子を捕捉するように構成されている。このフィルタ９４が目詰まりを起こすと、フィルタ９４の流入側の圧力が増加し、大量のパーティクルがフィルタ９４から押し出されてしまう。大量のパーティクルを含む処理液は、ウェハに重大なダメージを与えてしまう。したがって、フィルタ９４が目詰まりを起こす前にフィルタ９４を交換する必要がある。フィルタ９４の目詰まりを検出するために、流量計または圧力計が使用されることがある。しかしながら、流量計および圧力計はフィルタ９４の目詰まりが起こったことを検出することはできるが、フィルタ９４の目詰まりを予測することは難しい。そこで、フィルタ９４の目詰まりを予測するために、図５乃至図７に示すように、フラッシング装置は、処理液供給ライン９２を流れる処理液に含まれる粒子の数をカウントする（数える）粒子測定装置１２０を備えている。
【００６２】
粒子測定装置１２０は、粒子の大きさを測定し、単位体積あたりの処理液に含まれる粒子の数を粒子の大きさ毎にカウントするように構成されている。粒子測定装置１２０は処理液供給ライン９２に取り付けられており、フィルタ９４の下流側に配置されている。粒子測定装置１２０は動作制御部３０に接続されており、粒子の数を動作制御部３０に送るように構成されている。粒子測定装置１２０はパーティクルモニターとも呼ばれる。図５乃至図７では、粒子測定装置１２０は基板処理装置１内に配置されているが、粒子測定装置１２０を分配ライン９３に取り付けてもよい。
【００６３】
動作制御部３０は、粒子の数に基づいてフィルタ９４の目詰まりを予測する。上述したように、フィルタ９４が目詰まりを起こし始めると、フィルタ９４を通過した処理液に含まれる粒子の数が増加する。動作制御部３０は、単位体積あたりの処理液に含まれる粒子の数が所定のしきい値に達した時に、フィルタ９４の交換を促す警報を発する。したがって、フィルタ９４が目詰まりを起こす前にフィルタ９４を交換することができる。
【００６４】
動作制御部３０は、粒子の数がしきい値に達した場合には、供給切り替え弁１０４を作動させて洗浄液を分配ライン９３および処理液供給ライン９２内に流しつつ、ドレイン機構１０１を作動させて洗浄液を処理液とともにドレイン１００にまで導くようにしてもよい。さらに、動作制御部３０は、粒子の数がしきい値に達した場合には、警報を発し、および／または基板処理装置１の運転を停止してもよい。
【００６５】
動作制御部３０は、粒子の大きさの測定値が所定のしきい値に達した場合には、供給切り替え弁１０４を作動させて洗浄液を分配ライン９３および処理液供給ライン９２内に流しつつ、ドレイン機構１０１を作動させて洗浄液を処理液とともにドレイン１００にまで導くようにしてもよい。さらに、動作制御部３０は、粒子の大きさの測定値が所定のしきい値に達した場合には、警報を発し、および／または基板処理装置１の運転を停止してもよい。
【００６６】
膜厚測定器２１（図１参照）は動作制御部３０に接続されており、膜厚測定器２１はウェハの膜厚の測定値を動作制御部３０に送るように構成されている。動作制御部３０は、膜厚の測定値が所定の許容範囲を超えた場合には、供給切り替え弁１０４を作動させて洗浄液を分配ライン９３を通じて処理液供給ライン９２内に流し、かつドレイン機構１０１を作動させて処理液供給ライン９２に供給された洗浄液をドレイン１００にまで導くようにしてもよい。動作制御部３０は、膜厚の測定値が所定の許容範囲を超えた場合には、警報を発し、および／または基板処理装置１の運転を停止してもよい。
【００６７】
図１に示す膜厚測定器２１は、基板処理装置１に組み込まれた、いわゆるインライン型膜厚測定器であるが、膜厚測定器２１は基板処理装置１の外部に設置されたスタンドアローン型の外部膜厚測定器であってもよい。動作制御部３０は、膜厚の初期値と、膜厚の測定値と、研磨時間からウェハの研磨レートを算出し、この研磨レートが所定の許容範囲を超えた場合には、供給切り替え弁１０４を作動させて洗浄液を分配ライン９３を通じて処理液供給ライン９２内に流し、かつドレイン機構１０１を作動させて処理液供給ライン９２に供給された洗浄液をドレイン１００にまで導くようにしてもよい。動作制御部３０は、研磨レートが所定の許容範囲を超えた場合には、警報を発し、および／または基板処理装置１の運転を停止してもよい。
【００６８】
図８は、基板処理装置１の外部に欠陥検査器２３が設けられた例を示す模式図である。この欠陥検査器２３は、ウェハの表面に形成された傷（スクラッチ）やウェハの表面に付着した異物などの欠陥を検出し、その欠陥の数をカウントするように構成されている。例えば、ウェハ表面に光線（可視光線、赤外線、紫外線など）を照射し、ウェハ表面からの散乱光からウェハ表面上の傷を検出する光散乱式の欠陥検査器が使用される。処理液に含まれるパーティクルが増えると、ウェハの表面に傷が形成されることがある。そこで、基板処理装置１で処理されたウェハは欠陥検査器２３に搬送され、欠陥検査器２３によりウェハ表面上に形成された傷が検出される。
【００６９】
欠陥検査器２３は、動作制御部３０に接続されており、検出された傷の数が動作制御部３０に送られるようになっている。動作制御部３０は、検出された傷の数が所定のしきい値に達した場合は、供給切り替え弁１０４を作動させて洗浄液を分配ライン９３を通じて処理液供給ライン９２内に流し、かつドレイン機構１０１を作動させて処理液供給ライン９２に供給された洗浄液をドレイン１００にまで導くようにしてもよい。動作制御部３０は、検出された傷の数が所定のしきい値に達した場合は、警報を発し、および／または基板処理装置１の運転を停止してもよい。
【００７０】
図９，図１０，および図１１は、処理液としての薬液を洗浄ユニット１６に供給するための処理液供給システムを示す模式図である。図９，図１０，および図１１に示す処理液供給システムは、図５，図６，および図７に示す処理液供給システムと基本的に同じ構成を有しており、図９，図１０，および図１１に示す実施形態は、図５，図６，および図７に示す実施形態に対応する。図１１においては、上側薬液供給ノズル８７および図示しない下側薬液供給ノズルは、上側ノズルモータ１２２および図示しない下側ノズルモータによって、ウェハＷの外側にある待避位置Ｐ１とウェハＷの上方の処理位置Ｐ２との間を移動可能に構成されている。この図１１に示す実施形態では、ドレイン機構１０１は、上側ノズルモータ１２２および図示しない下側ノズルモータから構成される。
【００７１】
図９乃至図１１に示すように、液体廃棄箇所の一例であるドレイン１００は、ウェハＷを保持する基板保持部である保持ローラー７１，７２，７３，７４の外側に位置している。したがって、ドレイン機構１０１が作動すると、処理液供給ライン９２を流れた洗浄液および処理液（薬液）は、ウェハＷには供給されずに、ドレイン１００に直接導かれる。
【００７２】
これまで本発明の一実施形態について説明したが、本発明は上述の実施形態に限定されず、その技術的思想の範囲内において種々異なる形態にて実施されてよい。
【符号の説明】
【００７３】
１    基板処理装置
１０    ハウジング
１２    ロードポート
１４ａ〜１４ｄ    研磨ユニット
１６    第１洗浄ユニット
１８    第２洗浄ユニット
２０    乾燥ユニット
２１    膜厚測定器
２２    第１基板搬送ロボット
２３    欠陥検査器
２４    基板搬送ユニット
２６    第２基板搬送ロボット
２８    第３基板搬送ロボット
２９    処理制御部
３０    動作制御部
４１    研磨パッド
４２    研磨テーブル
４３    トップリング（基板保持部）
４５    テーブル軸
４６    テーブルモータ
４７    トップリングシャフト
４８    トップリングアーム
５０    研磨液供給ノズル（処理液供給ノズル）
５１    ノズル旋回軸５１
５２    ノズルモータ
５４    ドレッシング装置
５６    ドレッサ
５７    ドレッサアーム
７１〜７４    保持ローラー（基板保持部）
７５    基板回転装置
７７，７８    ロールスポンジ
８０，８１    洗浄具回転装置
８２    昇降駆動機構
８５    リンス液供給ノズル
８７    薬液供給ノズル（処理液供給ノズル）
８９    ガイドレール
９２    処理液供給ライン
９３    分配ライン
９４    フィルタ
９７    処理液循環ライン
１００    ドレイン（液体廃棄箇所）
１０１    ドレイン機構
１０４    供給切り替え弁
１０７    ドレイン切り替え弁
１１０    ドレインライン
１１１    移送ライン
１１２    純水切り替え弁
１１３    純水供給ライン
１１４    接続部
１１６    純水供給ライン
１１７    純水切り替え弁
１２０    粒子測定装置
１２２    上側ノズルモータ
【図１】
2015168035.tif 000003
【図２】
2015168035.tif 000004
【図３】
2015168035.tif 000005
【図４】
2015168035.tif 000006
【図５】
2015168035.tif 000007
【図６】
2015168035.tif 000008
【図７】
2015168035.tif 000009
【図８】
2015168035.tif 000010
【図９】
2015168035.tif 000011
【図１０】
2015168035.tif 000012
【図１１】
2015168035.tif 000013